(57)【要約】【課題】チャンネルプリセット中の状態を容易に知ることができ、チャンネルプリセットが終了したときに直ちに好みの放送の選局状態に移行する。【解決手段】チャンネルプリセット処理部１２により、チャンネルプリセット中にチャンネルプリセットの時々刻々の状態を画面表示する表示出力を形成し、進捗状況グラフ上にプリセット記憶された放送の受信周波数の位置を有放送マークで表示する表示出力を形成し、表示画面の有放送マークの選択により、近傍に小窓状の放送案内を表示する表示出力を形成し、更に、放送案内からの選択によりチャンネルプリセットが終了したときにチューナ部２Ａが自動的に選択された放送の選局状態に設定する。【選択図】図１
2008178015.tif 000002
【特許請求の範囲】
【請求項１】
チューナ部の受信周波数を設定された選局範囲で昇降可変し、前記チューナ部が受信した各放送の選局情報をプリセット記憶するチャンネルプリセット機能を備えたテレビ受信装置において、チャンネルプリセット中に前記チューナ部の受信周波数の変化に応じてバーの長さや扇の面積等が変化する進捗状況グラフの表示出力を形成するグラフ表示処理手段と、チャンネルプリセット中の前記チューナ部の放送の受信の有無を検出する受信有無検出手段と、前記受信有無検出手段の受信有りの検出に基づき前記進捗状況グラフの該当する受信周波数の位置に表示する有放送マークの表示出力を形成する有放送マーク表示処理手段と、表示画面から選択された有放送マークの受信周波数に対応してプリセット記憶された前記選局情報に基づいて当該受信周波数に存在する放送の少なくともチャンネル番号からなる放送案内を形成し、選択された有放送マークの近傍に前記放送案内の小窓状の表示出力を形成する放送案内表示処理手段と、画面表示された前記放送案内からの放送の選択によりチャンネルプリセットが終了したときに前記チューナ部を選択された放送の選局状態に設定する選局制御手段とを備えたことを特徴とするテレビ受信装置。
【請求項２】
請求項１記載のテレビ受信装置において、前記放送案内の表示色を放送の種類、受信レベル等の放送状態に応じて可変する放送状態報知処理手段を更に備えたことを特徴とするテレビ受信装置。
【請求項３】
請求項１又は２に記載のテレビ受信装置において、前記受信位置表示グラフ及び前記放送案内の表示出力は、所定の背景画上に前記受信位置表示グラフ及び前記放送案内を画面表示するオン・スクリーン・ディスプレイ出力であることを特徴とするテレビ受信装置。
【請求項４】
請求項１乃至３のいずれか１項に記載のテレビ受信装置において、前記チューナ部は、２個の受信チューナを有し、チャンネルプリセット中に前記チューナ部の空きの受信チューナにより前記放送案内から選択された放送を受信し、かつ、チャンネルプリセット中に前記空きの受信チューナが受信中の放送の受信画像の小画面表示出力を形成する選択放送表示処理手段を更に備えたことを特徴とするテレビ受信装置。
【請求項５】
チューナ部の受信周波数を設定された選局範囲で昇降可変し、前記チューナ部が受信した各放送の選局情報をプリセット記憶するチャンネルプリセット機能を備えたテレビ受信装置のチャンネルプリセット処理方法において、チャンネルプリセット中に前記チューナ部の受信周波数の変化に応じてバーの長さや扇の面積等が変化する進捗状況グラフの表示出力を形成し、チャンネルプリセット中の前記チューナ部の放送の受信有りの検出に基づき前記進捗状況グラフの該当する受信周波数の位置に表示する有放送マークの表示出力を形成し、表示画面から選択された有放送マークの受信周波数に対応してプリセット記憶された選局情報に基づき、当該受信周波数に存在する各放送の少なくともチャンネル番号からなる放送案内を選択された有放送マークの近傍に小窓状に表示し、画面表示された前記放送案内からの放送の選択により、チャンネルプリセットが終了したときに前記チューナ部を選択された放送の選局状態に設定することを特徴とするテレビ受信装置のチャンネルプリセット処理方法。
【請求項６】
請求項５記載のテレビ受信装置のチャンネルプリセット処理方法において、前記放送案内の表示色を放送の種類、受信レベル等の放送状態に応じて可変することを特徴とするテレビ受信装置のチャンネルプリセット処理方法。
【発明の詳細な説明】
【技術分野】
【０００１】
本発明は、テレビ放送のチャンネルプリセット機能を有するテレビ受信装置及びそのチャンネルプリセット処理方法に関し、詳しくは、チャンネルプリセット状態の表示及びプリセット終了時の選局設定に関する。
【０００２】
尚、本発明において、チャンネルプリセットされる放送には、テレビ放送だけでなく、わが国のデジタルラジオ放送のようなテレビ受信装置がその選局周波数範囲内で受信復調可能なラジオ放送も含む。そして、以下の記述において、「テレビ放送」等は前記したラジオ放送を含むものとする。
【背景技術】
【０００３】
従来、この種のテレビ受信装置には、画面表示装置等を備えて単体で受信したテレビ放送の画面表示や音声出力が行えるテレビジョン受信機タイプのものや、ＤＶＤプレーヤ、ＨＤＤプレーヤのような映像記録再生装置（又は、映像記録装置）に内蔵されて受信したテレビ放送の映像、音声の信号を出力する内蔵タイプのものがある。
【０００４】
そして、上記のいずれのタイプのテレビ受信装置であっても、ユーザが最初に電源を投入したときの初期設定及び、その後の状態設定のメニュー画面からの選択により、チャンネルプリセットの機能が動作すると、自動的にチューナ部の受信周波数をその選局周波数範囲で昇降可変し、その間に受信した各放送のチャンネル情報等の選局情報をプリセット記憶する。
【０００５】
ところで、前記チャンネルプリセットの機能が動作するチャンネルプリセットの時間は、テレビ受信装置の仕様や放送のチャンネル数等によって異なる。
【０００６】
そして、例えば米国仕様のテレビ受信装置の場合、米国ではアナログ放送、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）方式のデジタル放送が実施され、しかも、それらの放送は地域によって周波数割り当てパターンが異なるＳＴＤ（Ｓｔａｎｄａｒｄ  Ｆｕｒｅｑｕｅｎｃｉｅｓ）、ＩＲＣ（Ｉｎｃｒｅｍｅｎｔａｌ  Ｒｅｌａｔｅｄ  Ｃａｒｒｉｅｒｓ）、ＨＲＣ（Ｈａｒｍｏｎｉｃ  Ｒｅｌａｔｅｄ  Ｃａｒｒｉｅｒｓ）のいずれかで実施されることから、選局周波数範囲が広く、放送のチャンネル数が多いだけでなく、前記の周波数割り当てパターンの特定も必要になり、チャンネルプリセットにかなりの時間がかかる。
【０００７】
尚、わが国の国内仕様のテレビ受信装置の場合も、アナログ放送及び地上波、衛星放送のデジタル放送の各チャンネルを漏れなくプリセット記憶しようとすると、選局周波数範囲は広く、プリセット記憶するチャンネル数も多くなるため、時間がかかる。更に、多数の国や地域で使用される仕様（世界仕様）のテレビ受信装置の場合は、ＮＴＳＣ、ＰＡＬ、ＳＥＣＡＭ等の多数の放送方式で広範囲の選局周波数範囲を掃引走査してアナログ、デジタルの放送のチャンネルプリセットを行なうことになるので長時間を要する。
【０００８】
そして、この種のテレビ受信装置においては、一般に、チャンネルプリセット中は、オン・スクリーン・ディスプレイ（以下、ＯＳＤという）出力のブルーバック等の無地の背景画を画面表示したり、この無地の背景画上にチャンネルプリセット中であることのメッセージを表示することが行なわれる。
【０００９】
一方、チャンネルプリセットの機能を備えたデジタル放送受信装置において、表示画面の上部近傍に１、２、…のチャンネル番号順にＬＥＤ付きの選局ボタンを設け、チャンネルプリセットにより、プリセットされた放送のチャンネル番号のＬＥＤを受信状態に応じた色で点灯し、更に、表示画面の前記各選局ボタンの位置に各放送の受信レベルのバーを表示して受信状況をユーザに報知することが提案されている（例えば、特許文献１参照）。
【特許文献１】特開２００３−２７４３１０号公報（要約書、段落［００２０］−［００２８］、図１、図２、図４、図５等）
【発明の開示】
【発明が解決しようとする課題】
【００１０】
前記従来装置のように、チャンネルプリセット中にブルーバック等の無地の背景画を画面表示したり、この無地の背景画上にメッセージを表示するのみでは、ユーザはチャンネルプリセットの状態（状況）が全く分からず、ユーザに不快感、不安感を与え、又、チャンネルプリセットの終了の見当が付かず、時間経過と共にユーザに退屈感を与える問題がある。
【００１１】
そして、前記特許文献１に記載のように、チャンネルプリセット後にＬＥＤの点灯色や画面のチャンネル別のバー表示により、プリセットされた放送のチャンネル番号やその受信状態を表示するようにしても、チャンネルプリセット中にはその状態を表示することができない。
【００１２】
しかも、設置スペースや、視認性、操作性、コスト等を考慮すると、前記ＬＥＤ付きの選局スイッチの個数は限られ、仮にチャンネルプリセット中にＬＥＤの点灯色や画面のバー表示によってプリセットされた放送のチャンネル番号やその受信状態を表示したとしても、上述の米国仕様、国内仕様、世界仕様のテレビ受信装置のような多数の放送のチャンネルプリセットが必要になる今日のテレビ受信装置においては、対応することができない。
【００１３】
次に、従来装置のチャンネルプリセットの場合、チャンネルプリセットが終了したときには、受信チャンネルがチャンネルプリセットの開始時又は終了時のチャンネルに固定される。
【００１４】
この場合、ユーザはチャンネルプリセットの終了を待って選局操作を行い、好みのチャンネルの放送の受信にセットしなければならず、とくにチャンネルプリセットに時間がかかるときには煩わしく面倒であり、利便性に欠ける。
【００１５】
本発明は、チャンネルプリセットする放送が多数存在する場合にもチャンネルプリセット中にユーザがその状態（状況）を容易に知ることができるようにすると共にチャンネルプリセットが終了したときに直ちにユーザの好みの放送の選局状態に移行するようにし、チャンネルプリセットに時間がかかるときのユーザの不快感、不安感や退屈感を払拭すると共に利便性を向上することを目的とする。
【課題を解決するための手段】
【００１６】
上記した目的を達成するために、本発明のテレビ受信装置は、チューナ部の受信周波数を設定された選局範囲で昇降可変し、前記チューナ部が受信した各放送の選局情報をプリセット記憶するチャンネルプリセット機能を備えたテレビ受信装置において、チャンネルプリセット中に前記チューナ部の受信周波数の変化に応じてバーの長さや扇の面積等が変化する進捗状況グラフの表示出力を形成するグラフ表示処理手段と、チャンネルプリセット中の前記チューナ部の放送の受信の有無を検出する受信有無検出手段と、前記受信有無検出手段の受信有りの検出に基づき前記進捗状況グラフの該当する受信周波数の位置に表示する有放送マークの表示出力を形成する有放送マーク表示処理手段と、表示画面から選択された有放送マークの受信周波数に対応してプリセット記憶された前記選局情報に基づいて当該受信周波数に存在する放送の少なくともチャンネル番号からなる放送案内を形成し、選択された有放送マークの近傍に前記放送案内の小窓状の表示出力を形成する放送案内表示処理手段と、画面表示された前記放送案内からの放送の選択によりチャンネルプリセットが終了したときに前記チューナ部を選択された放送の選局状態に設定する選局制御手段とを備えたことを特徴としている（請求項１）。
【００１７】
又、本発明は請求項１記載のテレビ受信装置において、前記放送案内の表示色を放送の種類、受信レベル等の放送状態に応じて可変する放送状態報知処理手段を更に備えたことを特徴としている（請求項２）。
【００１８】
そして、本発明の請求項１又は２に記載のテレビ受信装置において、前記受信位置表示グラフ及び前記放送案内の表示出力は、所定の背景画上に前記受信位置表示グラフ及び前記放送案内を画面表示するＯＳＤ出力であることが好ましい（請求項３）。
【００１９】
更に、前記チューナ部は、２個の受信チューナを有し、チャンネルプリセット中に前記チューナ部の空きの受信チューナにより前記放送案内から選択された放送を受信し、かつ、チャンネルプリセット中に前記空きの受信チューナが受信中の放送の受信画像の小画面表示出力を形成する選択放送表示処理手段を更に備えることも好ましい（請求項４）。
【００２０】
次に、本発明のテレビ受信装置のチャンネルプリセット処理方法は、チューナ部の受信周波数を設定された選局範囲で昇降可変し、前記チューナ部が受信した各放送の選局情報をプリセット記憶するチャンネルプリセット機能を備えたテレビ受信装置のチャンネルプリセット処理方法において、チャンネルプリセット中に前記チューナ部の受信周波数の変化に応じてバーの長さや扇の面積等が変化する進捗状況グラフの表示出力を形成し、チャンネルプリセット中の前記チューナ部の放送の受信有りの検出に基づき前記進捗状況グラフの該当する受信周波数の位置に表示する有放送マークの表示出力を形成し、表示画面から選択された有放送マークの受信周波数に対応してプリセット記憶された選局情報に基づき、当該受信周波数に存在する放送の少なくともチャンネル番号からなる放送案内を選択された有放送マークの近傍に小窓状に表示し、画面表示された前記放送案内からの放送の選択により、チャンネルプリセットが終了したときに前記チューナ部を選択された放送の選局状態に設定することを特徴としている（請求項５）。
【００２１】
又、本発明は、請求項５記載のテレビ受信装置のチャンネルプリセット処理方法において、前記放送案内の表示色を放送の種類、受信レベル等の放送状態に応じて可変することを特徴としている（請求項６）。
【発明の効果】
【００２２】
請求項１、５の発明によれば、チャンネルプリセット中に、進捗状況グラフのバーの長さや扇の面積等によってチャンネルプリセットの時々刻々の状態を画面表示することができる。
【００２３】
又、進捗状況グラフ上に今までにプリセット記憶された放送が存在する受信周波数の位置を有放送マークで表示し、チューナ部の選局周波数範囲におけるプリセット記憶された放送の存在位置を視覚的にわかり易く表示することができる。
【００２４】
更に、ユーザが表示画面の有放送マークを選択すると、該有放送マークの近傍に小窓状の放送案内が表示され、この放送案内の表示から、その受信周波数に存在してプリセット記憶された受信可能な放送のチャンネル番号等を容易に把握することができ、この場合、同じ受信周波数に存在している受信可能な複数の放送についても前記放送案内の小窓表示に各放送のチャンネル番号等を表示することで容易に把握することが可能である。
【００２５】
そして、放送が多数存在する場合にも、ユーザは進捗状況グラフ上の各有放送マークからそれらの存在及びプリセット記憶がされたことを容易に知ることができ、しかも、各有放送マークを選択することで、プリセット記憶された各放送のチャンネル番号等を知ることもでき、上述のＬＥＤ付きの選局スイッチを備えたりすることなく、画面表示から簡単かつ安価にチャンネルプリセット状態を知ることができる。
【００２６】
従って、チャンネルプリセット中に進捗状況グラフ、有放送マーク及び放送案内を画面表示する部品点数が少なく簡素かつ安価な構成により、チャンネルプリセット可能な放送が多数存在してチャンネルプリセットに時間がかかる場合にも、チャンネルプリセット中にユーザは時々刻々変化するチャンネルプリセットの状態（状況）を容易に知ることができ、ユーザの不快感、不安感や退屈感を払拭して満足感を与えることができる。
【００２７】
又、チャンネルプリセット中に画面表示された放送案内からユーザが所望する放送を選択すると、チャンネルプリセットが終了したときにチューナ部が自動的に選択された放送の選局状態に設定され、チャンネルプリセットの終了を待って選局操作を行なわなくて良く、利便性が著しく向上する。
【００２８】
次に、請求項２、６の発明によれば、チャンネルプリセット中に画面表示される放送案内の表示色が放送の例えばアナログ放送、デジタル放送のような種類、受信レベル等の放送状態に応じて変り、その表示色からユーザはチャンネルプリセット状態の更に詳細な情報を得ることができ、チャンネルプリセット状態の表示性能が一層向上する。尚、本発明において、前記表示色には模様や点滅も含む。
【００２９】
更に、請求項３の発明によれば、チャンネルプリセット中に進捗状況グラフ、有放送マーク及び放送案内がブルーバックのような所定の背景画上に見易く表示され、チャンネルプリセット状態の表示性能が向上する利点も有する。
【００３０】
又、請求項４の発明によれば、チャンネルプリセット中に画面表示された放送案内からユーザが選択した放送が受信されてその受信画像が表示画面中に表示され、チャンネルプリセット中にもユーザは所望の放送を選択して楽しむことができ、利便性等が一層向上する。
【発明を実施するための最良の形態】
【００３１】
本発明をより詳細に説明するため、その実施形態について、図１〜図１３にしたがって詳述する。
【００３２】
（第１の実施形態）
まず、請求項１、３、５に対応する第１の実施形態について、図１〜図５を参照して説明する。
【００３３】
図１はテレビ受信装置としてのテレビジョン受信機１Ａの映像処理の要部のブロック構成を示し、図２はテレビジョン受信機１Ａのチャンネルプリセット処理のフローチャートを示し、図３はメニュー画面を示し、図４、図５はチャンネルプリセット中の表示画面を示す。
【００３４】
（構成）
図１のテレビジョン受信機１Ａは本体部１ａとユーザの手元のリモコン送信機１ｂとからなる。
【００３５】
そして、本体部１ａにおいて、２Ａはアンテナ又はＣＡＴＶ端子のＲＦ信号が入力されるチューナ部であり、本実施形態においては１個の受信チューナで形成される。３はチューナ部２Ａの後段の映像処理部であり、周知の映像処理部と同様、チューナ部２Ａが受信復調したテレビ放送の受信映像のデコード出力にアナログ放送、デジタル放送それぞれの映像処理を施し、受信映像の画面表示出力を信号合成部４を介して内蔵の画面表示装置５に供給し、受信映像の画面を画面表示装置５に表示する。画面表示装置５は例えば液晶ディスプレイ、プラズマディスプレイ又はＣＲＴからなる。
【００３６】
６はリモコン送信機１ｂの赤外線の操作信号を受光するリモコン受光部であり、前記操作信号を電気信号に変換して出力する。
【００３７】
７はマイクロコンピュータが形成する制御処理部であり、予め設定された受信処理、表示処理、チャンネルプリセット処理等の各種の制御処理プログラムを、ユーザの操作等に従って選択的に実行し、ソフトウエアによって形成された主制御部８、キー判別処理部９、選局制御部１０、画面表示処理部１１、チャンネルプリセット処理部１２、ＯＳＤ表示処理部１３を備える。１４は制御処理部７に接続された不揮発性の書き換え自在のメモリであり、チャンネルプリセットの選局情報をプリセット記憶すると共に、必要に応じて受信画像を蓄積保持する。
【００３８】
そして、キー判別処理部９はリモコン受光部６の電気信号の操作コードを判別し、判別したコードの情報を主制御部８に送り、主制御部８は本体部１ａの電源スイッチ等の各種の操作スイッチ（図示せず）のオン、オフや前記コードの情報、内部の時刻情報等に基づき、初期設定の制御、その後の受信選局や画面表示等の全体制御を実行する。
【００３９】
又、選局制御部１０はユーザの選局操作及びプログラム制御に基づき主制御部８を介してチューナ部２Ａを動作制御し、本発明の選局制御手段を形成する。該選局制御手段はチャンネルプリセット中に画面表示装置５に画面表示された後述の放送案内からの放送の選択により、チャンネルプリセットが終了したときにチューナ部２Ａを選択された放送の選局状態に設定する。
【００４０】
画面表示処理部１１はユーザの表示モードの選択やプログラム制御に基づき映像処理部３の制御を通して画面表示装置５の映像の表示モード等を制御する。
【００４１】
チャンネルプリセット処理部１２はテレビジョン受信機１Ａの電源を最初に投入したとき及び、その後ユーザがメニュー画面からチャンネルプリセットを選択したときに動作し、選局制御部１０を介してチューナ部２Ａの受信チューナの受信周波数を設定された選局範囲で最小から最大又はその逆に昇降可変し、チューナ部２Ａが受信した各放送の受信周波数、受信レベル、チャンネル番号及び、放送の種別（例えば、アナログ放送、デジタル放送（例えばわが国の場合、地上波、衛星放送（ＢＳ、ＣＳ）の別等を含む）、その他の放送の別、更には可能であれば放送局名等も含む選局情報をメモリ１４にプリセット記憶する。
【００４２】
尚、メニュー画面からのチャンネルプリセットの選択は、例えば、ユーザがリモコン送信機１ｂを操作し、ＯＳＤ表示処理部１３から信号合成部４に送られるＯＳＤ表示出力に基づいて画面表示装置５に図３（ａ）の１枚目の設定メニューの表示画面Ｐａを表示し、この表示画面Ｐａの「チャンネル設定」のボタンａをクリックして選択し、この選択にしたがって表示される図３（ｂ）の２枚目（下層）の設定メニューの表示画面Ｐｂから「チャンネルスキャン実行」のボタンｂをクリックすることで行なわれる。
【００４３】
又、前記チャンネルプリセット処理部１２はチャンネルプリセット中に図２のチャンネルプリセット処理のプログラムを実行し、本発明のグラフ表示処理手段、有放送マーク表示処理手段、放送案内表示処理手段を形成する。
【００４４】
そして、グラフ表示処理手段は、チャンネルプリセット中にチューナ部２Ａの受信周波数の変化に応じてバーの長さや扇の面積等が変化する進捗状況グラフの表示出力を形成する手段である。前記進捗状況グラフの表示出力はＯＳＤ表示出力であり、グラフ表示処理手段がＯＳＤ表示処理部１３を制御して形成する。形成したＯＳＤ表示出力はＯＳＤ表示処理部１３から信号合成部４に送られ、信号合成部４により映像処理部３の表示出力に重畳合成されて画面表示装置５に送られ、画面表示装置５に表示される。
【００４５】
ところで、前記進捗状況グラフは具体的には例えば図４、図５チャンネルプリセット中の画面表示装置５の表示画面Ｐｃ、Ｐｄに表示される画面下部の左右方向のバーグラフαであり、バーグラフαはチューナ部２Ａの受信周波数が選局周波数範囲内で高くなるに従って着色部が左端から右端方向に伸びる。このとき、バーグラフαは受信周波数に比例して変化し、その先端にはリモコン送信機１ｂの操作で移動自在の濃い色のカーソルβが表示され、バーグラフαの近傍には現在の受信周波数に対応するチャンネルプリセットの進捗度合いが％表示される。
【００４６】
受信有無検出手段はチャンネルプリセット中のチューナ部２Ａの放送の受信の有無を検出する手段であり、具体的には、チャンネルプリセットの受信周波数の変化によってチューナ部２Ａの動作中の受信チューナが放送を受信復調する毎に、チューナ部２Ａから主制御部８を介して選局制御部１０に通知される有放送の通知の有無からチューナ部２Ａの放送の受信の有無を検出する。
【００４７】
有放送マーク表示処理手段は、前記受信有無検出手段の受信有りの検出に基づき進捗状況グラフ、例えば前記バーグラフαの該当する受信周波数の位置に表示する有放送マークの表示出力を形成する手段であり、具体的には図４、図５に示す幅の狭いカーソル状の有放送マークγを各放送の受信位置に表示するＯＳＤ表示出力を形成する。尚、有放送マークγもバーグラフαより目立つように、色又は階調がバーグラフαと異なる。又、同一の受信周波数に複数個の放送が存在する場合は、有放送マークγを１つだけ代表のマークとして表示する。
【００４８】
放送案内表示処理手段は、チャンネルプリセット中の画面表示装置５の表示画面Ｐｃ、Ｐｄからユーザによって選択された有放送マークγの受信周波数に対応してメモリ１４にプリセット記憶された前記選局情報に基づき、当該受信周波数に存在する放送の少なくともチャンネル番号からなる例えば図５の放送案内δを形成し、選択された有放送マークγの近傍に放送案内δの小窓状のＯＳＤ表示出力を形成する手段であり、このＯＳＤ表示出力を信号合成部４を介して画面表示装置５に供給して画面表示する。本実施形態の放送案内δは図５からも明らかなように、いわゆる吹き出しのような小窓に例えばチャンネル番号、放送局名を一列に配置した放送局毎に一列の情報を上下にスクロールして表示するように形成され、リモコン送信機１ｂを操作して画面表示されている各列のチャンネル番号又は放送局名をユーザが選択すると、チャンネルプリセットが終了したときに前記選局制御手段が選択された放送の選局情報をメモリ１４から読出してチューナ部２Ａを選択された放送の選局状態に設定する。
【００４９】
（動作）
次に、前記テレビジョン受信機１Ａのチャンネルプリセット処理を、図２を参照して説明する。
【００５０】
テレビジョン受信機１Ａの最初の電源投入又は、その後ユーザのメニュー画面からのチャンネルプリセットの選択により、チャンネルプリセット処理部１２が図２のチャンネルプリセット処理のプログラムを実行すると、まず、図２のステップＳ１により、選局制御部１０がチャンネルプリセットの選局制御を開始し、チューナ部２Ａの受信チューナの受信周波数を、例えば選局範囲の最小周波数に初期設定して初期設定周波数から徐々に最高周波数まで昇降変化する。
【００５１】
このとき、ステップＳ２によりグラフ表示処理手段が動作を開始してバーグラフαの表示出力が形成され、画面表示装置５にバーグラフαが表示される。バーグラフαはステップＳ３により、受信周波数の上昇に従って右方向に伸び、先端のカーソルβも右方向に移動する。このカーソルβの移動によりユーザはチャンネルプリセットの時々刻々の進捗状況が分かる。
【００５２】
ところで、チャンネルプリセット中はチューナ部２Ａの受信復調出力を画面表示装置５に画面表示すると、その画面は極めて見苦しくなる。そこで、本実施形態の場合は、チャンネルプリセット中はチューナ部２Ａの受信復調出力をオフし、ＯＳＤ表示処理部１３によって所定の背景画、例えばブルーバックの背景画のＯＳＤ表示出力を形成し、この表示出力を信号合成部４を介して画面表示装置５に供給し、画面表示装置５の表示画面の背景画を例えばブルーバックにする。
【００５３】
そして、放送が受信復調され、ステップＳ３により受信有無検出手段が放送有りを検出すると、ステップＳ４によってメモリ１４にその放送の選局情報がプリセット記憶され、ステップＳ５によって有放送マーク表示処理手段が動作し、有放送マークγのＯＤＳ表示出力が形成され、バーグラフαのその受信周波数の位置に有放送マークγが画面表示される。
【００５４】
更に、放送案内表示処理手段が動作し、カーソルβを移動して画面表示された有放送マークγを選択すると、その選択中は、ステップＳ６、Ｓ７によって図５に示したような放送案内δの小窓が当該有放送マークγの近傍に表示され、その選択をやめるとステップＳ６からステップＳ８に移行して放送案内δの表示を終了する。
【００５５】
そして、有放送マークγを選択して画面表示された放送案内δの所望の放送のチャンネル番号等を選択すると、ステップＳ７からステップＳ９を介してステップＳ１０に移行し、その選択情報を放送案内表示処理手段が記憶保持する。尚、チャンネル番号等の選択をくり返す毎に、放送案内表示処理手段は記憶内容が更新されて最新の選択内容を記憶保持する。
【００５６】
そして、ステップＳ１１からステップＳ１２を介してステップＳ２に戻るループ処理により、チャンネルプリセット中は、進捗状況グラフとしてのバーグラフαが次第に長くなり、その長さによってチャンネルプリセットの時々刻々の状態が分かり易く面面表示される。
【００５７】
又、バーグラフα上に、今までにプリセット記憶された放送の受信周波数の位置が有放送マークγで表示され、チューナ部２Ａの選局周波数範囲におけるプリセット記憶された放送の存在が視覚的にわかり易く表示される。
【００５８】
更に、ユーザが表示画面の有放送マークγを選択すると、該有放送マークγの近傍に小窓状の放送案内δが表示され、この放送案内δの表示から、その受信周波数に存在してプリセット記憶された受信可能な放送のチャンネル番号等を容易に把握することができ、しかも、同じ受信周波数に存在している受信可能な複数の放送についても放送案内δの小窓表示に各放送のチャンネル番号等が表示されて容易に把握することができる。
【００５９】
そして、放送が多数存在する場合にも、ユーザはバーグラフα上の各有放送マークγからそれらの存在及びプリセット記憶がされたことを容易に知ることができ、しかも、各有放送マークγを選択することで、放送案内δの吹き出しの小窓が画面表示されてこの表示からプリセット記憶された各放送のチャンネル番号等を知ることもできる。
【００６０】
そのため、チャンネルプリセット中にバーグラフα、有放送マークγ及び放送案内δを画面表示する部品点数が少なく簡素かつ安価なソフトウエア処理の構成により、チャンネルプリセット可能な放送が多数存在してチャンネルプリセットに時間がかかる場合にも、チャンネルプリセット中にユーザは時々刻々変化するチャンネルプリセットの状態（状況）を容易に知ることができ、ユーザの不快感、不安感や退屈感を払拭して満足感を与えることができる。
【００６１】
しかも、チャンネルプリセット中にバーグラフα、有放送マークγ及び放送案内δがブルーバックの所定の背景画上に見易く表示されるので、チャンネルプリセット状態の表示性能が向上する。
【００６２】
そして、チャンネルプリセットが終了すると、図２のステップＳ１１からステップＳ１３に移行し、バーグラフα、有放送マークγ、放送案内δ等のＯＳＤ表示出力がオフし、チューナ部２Ａの受信画像の表示出力が映像処理部３から画面表示装置５に供給され、通常の受信表示状態に戻る。
【００６３】
このとき、選択情報を放送案内表示処理手段が選択された放送の情報を記憶保持していると、ステップＳ１３からステップＳ１４を介してステップＳ１５に移行し、選局制御部１０によってチューナ部２Ａがチャンネルプリセット中に選択された放送の選局状態に設定され、この状態でチャンネルプリセット処理が終了する。尚、チャンネルプリセット中に放送が選択されていない場合は、ステップＳ１３からステップＳ１４を介してステップＳ１６に移行し、チューナ部２Ａがプリセット記憶された所定条件の放送の選局状態、例えば最も受信周波数が低い放送の選局状態に設定されてチャンネルプリセットが終了する。
【００６４】
そのため、チャンネルプリセット中に画面表示された放送案内からユーザが所望する放送を選択すると、チャンネルプリセットが終了したときにチューナ部２Ａが自動的に選択された放送の選局状態に設定され、ユーザはチャンネルプリセットの終了を待って選局操作を行なわなくて良く、利便性が著しく向上する。
【００６５】
（第２の実施形態）
次に、請求項２、６に対応する第２の実施形態について、図１及び図６〜図８を参照して説明する。
【００６６】
図６はチャンネルプリセット処理のフローチャートを示し、図７は図６の表示色変化の詳細なフローチャートを示し、図８は表示色設定のメニュー画面を示す。
【００６７】
そして、本実施形態においては、図１のチャンネルプリセット処理部１２が、放送案内δの表示色を放送の種類、受信レベル等の放送状態に応じて可変する放送状態報知処理手段を更に備える。
【００６８】
ところで、前記放送状態は放送の種類、受信レベル等の複数の状態のいずれか一つ又は複数であって良く、一つの状態を報知する場合は放送案内δの各放送のチャンネル番号の数字、放送局名の文字の全部又は一部（例えば数字のみ）の色が、放送の種類、受信レベル等のいずれか一つの状態で変化し、複数の状態を報知する場合は例えば放送案内δの各放送のチャンネル番号の数字、放送局名の文字等が状態毎に割り当てられた一部分ずつの色が、放送の種類、受信レベル等の各状態に応じて変化する。そして、色の変化には模様の変化、点滅が含まれる。
【００６９】
そして、これらの色の変化の設定は、例えば図３（ｂ）メニュー画面Ｐｂに代えて図８のメニュー画面Ｐｂ＊を表示し、このメニュー画面Ｐｂ＊の表示色設定ｃを選択し、その下部の表示色設定欄ｄにより、例えば放送の種類、受信レベル等の放送状態に応じた表示色の変化を設定し、この設定を放送状態報知処理手段が記憶保持して行なわれる。
【００７０】
次に、上記の設定に基づくチャンネルプリセット処理の動作について、図６、図７を参照して説明する。
【００７１】
図６のステップＱ１〜Ｑ１７の全体処理のフローチャートにおいて、ステップＱ１〜Ｑ１６は図２のステップＳ１〜Ｓ１６と同様の処理のステップであり、異なる点は、ステップＱ７の次に表示色可変処理のステップＱ１７を追加した点である。
【００７２】
そして、ステップＱ１７の表示色可変処理は例えば図７のステップＱ１７１〜Ｑ１７６の処理からなり、放送状態報知処理手段が表示色変化の設定を記憶保持していると、チャンネルプリセット中に図６のステップＱ７で放送案内δが表示され、ステップＱ１７に移行したときに、図７のステップＱ１７１からステップＱ１７２に移行し、ステップＱ１７２、Ｑ１７３によって表示色を変化する対象を認識し、その認識に基づき、ステップＱ１７４、Ｑ１７５により、例えば放送の種類、受信レベルに応じて放送案内δの各放送のチャンネル番号、放送局名の一部又は全部の色を変える。尚、放送状態報知処理手段が表示色変化の設定を記憶保持していない場合は、ステップＱ１７１からステップＱ１７６に移行し、放送案内δの表示色は変えない。
【００７３】
したがって、本実施形態の場合は、チャンネルプリセット中に画面表示される放送案内δの各放送のチャンネル番号、放送局名等が例えばアナログ放送、デジタル放送のような放送の種類、受信レベル等の放送状態に応じて変り、その表示色からユーザはチャンネルプリセット状態の更に詳細な情報を得ることができ、チャンネルプリセット状態の表示性能が一層向上する。
【００７４】
（第３の実施形態）
次に、請求項４に対応する第３の実施形態について、図９〜図１３を参照して説明する。
【００７５】
図９はテレビ受信装置としてのテレビジョン受信機１Ｂの映像処理の要部のブロック構成を示し、図１０はチャンネルプリセット処理のフローチャートを示す。又、図１１、図１２、図１３はチャンネルプリセット中の表示画面を示す。
【００７６】
図９のテレビジョン受信機１Ｂにおいて、図１と同一符号は同一のものを示し、図１のテレビジョン受信機１Ａと異なる点は、第一に、図１のチューナ部２Ａに代えて２個の受信チューナ２ａ、２ｂを備えたチューナ部２Ｂを備え、チャンネルプリセット中に上述の放送案内δから放送が選択されると、チャンネルプリセットの受信に使用されていない空きの受信チューナ２ｂ（又は２ａ）により放送案内δから選択された放送を受信し、その受信画像を映像処理部３に出力する点であり、第二にはチャンネルプリセット処理部１２が例えば上述の第２の実施形態選の構成に更に選択放送表示処理手段を備え、この選択放送表示処理手段により画面表示処理部１１を動作制御し、チャンネルプリセット中に画面表示処理部１１によって前記空きの受信チューナ２ｂ（又は２ａ）が受信中の放送の受信画像の小画面（動画像）の表示出力を形成するようにした点である。
【００７７】
そして、本実施形態の場合、前記小画面は、メニュー設定により選択して設定された子画面又は分割画面である。前記子画面は例えば図１２のチャンネルプリセット中の表示画面Ｐｅに示すように、前記図５の表示画面Ｐｄの一部に重畳合成して画面表示される小画面εであり、選択された放送の受信画像を時間圧縮して形成される。又、前記分割画面は図１３のチャンネルプリセット中の表示画面Ｐｆに示すように、チャンネルプリセット中の前記図５の表示画面Ｐｄの左右方向を例えば１／２に圧縮し、それによって空いた表示画面の右側半分に画面表示される小画面ε＊であり、選択された放送の受信画像の左右方向を１／２に圧縮して形成される。
【００７８】
次に、本実施形態のチャンネルプリセット処理の動作について、図１０、図１１を参照して説明する。
【００７９】
図１０のステップＷ１〜Ｗ１８の全体処理のフローチャートにおいて、ステップＷ１〜Ｗ１７は図６のステップＱ１〜Ｑ１７と同様の処理のステップであり、異なる点は、ステップＷ１０の次に選択放送表示処理のステップＷ１８を追加した点である。
【００８０】
そして、ステップＷ１８の選択放送表示処理は例えば図１１のステップＷ１８１〜Ｗ１８４の処理からなり、チャンネルプリセット中に放送案内δから放送が選択されると、選択放送表示処理手段が動作し、ステップＷ１８１によりチューナ部２Ｂのチャンネルプリセットで受信周波数が昇降可変されている受信チューナ２ａ（又は２ｂ）ではなく、空きの受信チューナ２ｂ（又は２ａ）を選択された放送の受信に制御する。
【００８１】
更に、ステップＷ１８１からステップＷ１８２に移行して前記の子画面表示、分割画面表示のいずれに設定されているかを判断する。
【００８２】
そして子画面表示に設定されていると、ステップＷ１８２からステップＷ１８３に移行し、前記空きの受信チューナ２ｂが受信中の放送の受信画像を所定の大きさの小画面に圧縮し、この圧縮により映像処理部３で形成された受信画像の小画面の表示出力を前記ブルーバックにバーグラフα等を表示するＯＳＤ表示出力に重畳合成し、その合成出力に基づき、チャンネルプリセット中に画面表示装置５に例えば図１２の画面Ｐｅを表示する。
【００８３】
又、分割画面表示に設定されていると、ステップＷ１８２からステップＷ１８４に移行し、前記空きの受信チューナ２ｂが受信中の放送の受信画像を例えば１／２に左右を圧縮した小画面の分割画面を形成し、同時に、前記ブルーバックにバーグラフα等を表示するＯＳＤ表示出力の画面も１／２の左右圧縮し、両画面の画面表示出力を加算合成し、その合成出力に基づき、チャンネルプリセット中に画面表示装置５に例えば図１３の画面Ｐｆを表示する。
【００８４】
したがって、本実施形態の場合は、チャンネルプリセット中に、画面表示装置５に画面表示された放送案内δからユーザが選択した放送が受信されてその受信画像が表示画面中に表示され、チャンネルプリセット中にもユーザは所望の放送を選択して楽しむことができ、利便性等が一層向上する。
【００８５】
そして、本発明は上述した各実施形態に限定されるものではなく、その趣旨を逸脱しない範囲において上述したもの以外に種々の変更を行うことが可能であり、例えば、チャンネルプリセット処理部１２の制御処理の手順等が前記各実施形態と異なっていてもよいのは勿論である。
【００８６】
又、進捗状況グラフはバーグラフαに限られるものではなく、例えばチャンネルプリセットの進行に従って扇の面積が大きくなる円グラフ等の種々のグラフであってよいのも勿論である。
【００８７】
更に、カーソルβ、有放送マークγ、放送案内δの形状等はどのようであってもよく、放送案内δの表示色は、例えば、チャンネル番号、放送局名の表示色を放送の種類、受信レベルそれぞれに応じて可変するようにしてもよい。
【００８８】
そして、本発明のテレビ受信装置は、テレビジョン受信機１Ａ，１Ｂのような独立タイプの装置及びＤＶＤレコーダ（プレーヤ）等の映像処置装置に、ＨＤＤレコーダ内蔵（組み込み）タイプの種々の映像処理装置に内蔵される装置であってもよい。
【図面の簡単な説明】
【００８９】
【図１】本発明の第１の実施形態におけるテレビジョン受信機の要部の回路ブロック図である。
【図２】同上、テレビジョン受信機のチャンネルプリセット処理のフローチャートである。
【図３】同上、テレビジョン受信機のメニュー画面の説明図である。
【図４】同上、テレビジョン受信機のチャンネルプリセット中の表示画面の一例の説明図である。
【図５】同上、テレビジョン受信機のチャンネルプリセット中の表示画面の他の例の説明図である。
【図６】本発明の第２の実施形態におけるテレビジョン受信機のチャンネルプリセット処理のフローチャートである。
【図７】同上、テレビジョン受信機のチャンネルプリセット処理の一部の詳細なフローである。
【図８】同上、テレビジョン受信機のメニュー画面の説明図である。
【図９】本発明の第３の実施形態におけるテレビジョン受信機の要部の回路ブロック図である。
【図１０】同上、テレビジョン受信機のチャンネルプリセット処理のフローチャートである。
【図１１】同上、テレビジョン受信機のチャンネルプリセット処理の一部の詳細なフローである。
【図１２】同上、テレビジョン受信機のチャンネルプリセット中の表示画面の一例の説明図である。
【図１３】同上、テレビジョン受信機のチャンネルプリセット中の表示画面の他の例の説明図である。
【符号の説明】
【００９０】
２Ａ、２Ｂ    チューナ部
２ａ、２ｂ    受信チューナ
１０    選局制御部
１１    画面表示処理部
１２    チャンネルプリセット処理部
１３    ＯＳＤ表示処理部
１４    メモリ
α    バーグラフ
γ    有放送マーク
δ    放送案内
【図１】
2008178015.tif 000003
【図２】
2008178015.tif 000004
【図３】
2008178015.tif 000005
【図４】
2008178015.tif 000006
【図５】
2008178015.tif 000007
【図６】
2008178015.tif 000008
【図７】
2008178015.tif 000009
【図８】
2008178015.tif 000010
【図９】
2008178015.tif 000011
【図１０】
2008178015.tif 000012
【図１１】
2008178015.tif 000013
【図１２】
2008178015.tif 000014
【図１３】
2008178015.tif 000015